(57)【要約】【課題】  本考案は、犯罪件数が年々上昇し、身近になりつつある現状から少しでも犯罪を防ぎ、犯罪に遭わずまた抑止効果を狙ったものである。【解決手段】  一見、普段の階段であるが、蹴上げ板９を足先又は手で奥に押すことにより、そのまた奥にある踏み板支え２が傾斜する。蹴上げ板９はスプリングの力にて元の位置に復帰する。階段踏み板８は踏み板支え材２を外しても、踏み板支えスプリング５のため降りない。階段踏み板８に足を乗せることにより、階段踏み板８の下面がベルスイッチ４を押すため、高音ベルを鳴らす。同時に別装置のタイマースイッチ１２も作動させ、警報時間を任意に決めることにより停止させる。その後、階段踏み板８を手で持ち上げベルスイッチ４をＯＮの状態からＯＦＦに直し、階段踏み板８を再びセット状態にするようになっている。【選択図】図４
0003121808.tif 000002
【実用新案登録請求の範囲】
【請求項１】
室内階段の任意の位置の階段踏み板を、踏み板支えスプリングによって水平状態に支持するとともに、前記階段踏み板を前記スプリングに抗して押圧することにより、ベルスイッチを作動させて警報を発するように構成したことを特徴とする階段用警報装置。
【請求項２】
前記階段踏み板は、その下面に固着される踏み板取り付け用材を介して前記踏み板支えスプリングで支持されるように構成し、Ｌ字型ボックス形状の本体ベースの上段上面に、前記踏み板支えスプリングと前記ベルスイッチとを取り付け、その下段前部に踏み板支え材を後方へ傾斜させるように取り付け、該踏み板支え材を起立させたときには前記階段踏み板を剛的に水平支持し、後方へ傾斜させたときには前記階段踏み板を前記踏み板支えスプリングのみにより水平状態に支持するように構成したことを特徴とする請求項１記載の階段用警報装置。
【請求項３】
前記踏み板支え材の前方位置に蹴上げ板の下端部を前後方向に回動可能に取り付けるとともに、その上端部が前記階段踏み板前部に係合して起立状態に自動復帰するように構成し、前記蹴上げ板を押して前記踏み板支え材を後方へ傾斜させた後、起立状態に自動復帰したときには、他の踏み板支え板と同様の外観形状になるように構成したことを特徴とする請求項２記載の階段用警報装置。
【請求項４】
タイマースイッチにより警報を発する時間を設定できるようにしたことを特徴とする請求項１ないし３記載の階段用警報装置。
【考案の詳細な説明】
【技術分野】
【０００１】  本考案は、近年多発している家内侵入による泥棒等の被害を少しでも少なくする目的で作られた階段用警報装置である。
【背景技術】
【０００２】  従来住宅の防犯に関しては、通常鍵の戸締りにて行っており、家内進入後の防犯に考慮していないのが一般的である。
【考案の開示】
【考案が解決しようとする課題】
【０００３】泥棒等の不審者は、音に関して過度に敏感な面を持っているので、それを突いた考案である。就寝時は通常２階の寝室に寝ており、貴重品も２階に置いてある場合が多い。従って、夜間に泥棒等の不審者が侵入してきた場合には、階段を昇って２階に入って来ることが考えられる。このときに階段用警報装置を備えていれば、不審者の侵入を警報により撃退することができる。
【課題を解決するための手段】
【０００４】  （１）本考案の階段用警報装置は、室内階段の任意の位置の階段踏み板を、踏み板支えスプリングによって水平状態に支持するとともに、前記階段踏み板を前記スプリングに抗して押圧することにより、ベルスイッチを作動させて警報を発するように構成したことを特徴とするものである。【０００５】  （２）本考案の階段用警報装置は、（１）記載の構成に加え、前記階段踏み板は、その下面に固着される踏み板取り付け用材を介して前記踏み板支えスプリングで支持されるように構成し、Ｌ字型ボックス形状の本体ベースの上段上面に、前記踏み板支えスプリングと前記ベルスイッチとを取り付け、その下段前部に踏み板支え材を後方へ傾斜させるように取り付け、踏み板支え材を起立させたときには前記階段踏み板を剛的に水平支持し、後方へ傾斜させたときには前記階段踏み板を前記踏み板支えスプリングのみにより水平状態に支持させるように構成したことを特徴とするものである。【０００６】  （３）本考案の階段用警報装置は、（２）記載の構成に加え、前記踏み板支え材の前方位置に蹴上げ板の下端部を前後方向に回動可能に取り付けるとともに、その上端部が前記階段踏み板前部に係合して起立状態に自動復帰するように構成し、前記蹴上げ板を押して前記踏み板支え材を後方へ傾斜させた後、起立状態に自動復帰したときには、他の踏み板支え板と同様の外観形状になるように構成したことを特徴とするものである。【０００７】  （４）本考案の階段用警報装置は、（１）又は（２）又は（３）の構成に加え、タイマースイッチにより警報を発する時間を設定できるように構成したことを特徴とするものである。
【考案の効果】
【０００８】  本考案の階段用警報装置は、普段の昇り降りには作動せず、就寝時や不在になるときにセットしておくと、知らずに階段の踏み板踏むことにより高音ベルを鳴らして不審者を逃走させることができる。【０００９】  また、本考案の階段用警報装置の階段踏み板は、その下面に固着される踏み板取り付け用材を介して前記踏み板支えスプリングで支持されるように構成し、階段踏み板の下面に固着した踏み板取り付け用材、本体ベース、踏み板支え材を含む警報装置本体を構成し、かつ、警報回路装置を本体ベース内にセットしてアッセンブリーとして構成でき、階段幅が異なっても同一の警報装置本体に纏めることができるので、量産化でき、安価になる利点がある。【００１０】  また、万一、設置した効果が現れたときには、ショックとともに大きな喜びになり、在宅中に犯罪に巻き込まれそうなときも、不審者に気付かれずにベルを鳴らすこともでき、財産及び身を守ることができる。
【考案を実施するための最良の形態】
【００１１】  本考案の階段用警報装置は、不審者に容易に気付かれないように、任意に決めた階段の踏み板の内部に設置することができる。
【実施例】
【００１２】  以下、添付図面に従って一実施例を説明する。図１は本考案の階段用警報装置本体を示す斜視図、図２は図１を左側方から見た部分側面図、図３は図２の一部拡大図で、踏み板取り付け用材を支えるスプリング部分を示したものである。図４は踏み板及び蹴上げ板を含めた本考案の階段用警報装置全体を示す非セット時の拡大側面図、図５は図４のセット時における踏み板位置を実線で示し、ベル作動時の踏み板位置を２点鎖線で示した拡大側面図である。【００１３】  図１から図３において、３は本体ベースを示したもので、本体ベース３は左側面から見てＬ字型のボックス形状になっている。その下段前部には踏み板支え材２が設けられ、下段上面３Ａに取り付けたヒンジ６により後方へ傾斜できるようになっている。踏み板支え材２は起立した状態では図４に示すように階段踏み板８を剛的に強固に水平状態に支え、傾斜させたときには図５に示すように、その上端部が前記本体ベース３の上端部に当接支持され、階段踏み板８の下面との間に間隔Ｌを生じさせるためのカット面２Ａが形成されている。なお、この状態においては、後述する踏み板取り付け用材１とともに、踏み板支えスプリング５によって水平状態に支えられる。【００１４】  また本体ベース３の上段上面３Ｂの上部には、間隔Ｌをおいて踏み板取り付け用材１が水平状態に設置されている。その踏み板取り付け用材１は、前記本体ベース３の上端上面３Ｂの後端部に取り付けたつなぎヒンジ７により、図２に矢印で示すように後方へ回動（退避）できるようになっている。また本体ベース３の上端上面３Ｂの中央部にはベルスイッチ４が取り付けられているとともに、上端上面３Ｂの左右位置には踏み板支えスプリング５が取り付けられている。従って図３に示すように、前記踏み板取り付け用材１は、後述するその上面に固着した階段踏み板８とともに、踏み板支えスプリング５によって間隔Ｌを有する水平位置に保持される。またベルスイッチ４は、前記踏み板取り付け用材１の下面とは非接触状態になっている。【００１５】  上述したように、本考案の階段用警報装置本体１４は、階段踏み板８を固着する踏み板取り付け用材１、踏み板支え材２、本体ベース３、ベルスイッチ４、踏み板支えスプリング５、ヒンジ６、つなぎヒンジ７等から構成されている。【００１６】  図４は階段踏み板及び蹴上げ板を含む本考案の階段用警報装置全体を示したもので、踏み板支え材２の前方位置には、蹴上げ板９が設置されている。蹴上げ板９の下端部は、前記本体ベース３の下面、例えば本装置を最下段に設置した場合には、家の床面イにスプリング付きヒンジ１０により取り付けられている。この場合、起立方向へ付勢されているが、階段踏み板８の前端面８Ａで受けられ垂直起立状態に保持される。階段踏み板８は、踏み板取り付け用材１の上面に位置決めされた後、釘又はネジにより固着される。【００１７】  図６はベルスイッチ６を作動させる電気回路図を示したもので、ベルスイッチ６は、１００Ｖ電源差込プラグ１３とベル１１とタイマースイッチ１２に順次閉回路接続され、手動により、ＯＮの閉成状態とＯＦＦの開成状態とに切り換えることができるようになっている。ベルスイッチ６がＯＮの閉成状態になると、警報ベルが鳴るようになっている。【００１８】  これらのベル１１、タイマースイッチ１２、１００Ｖ電源差込プラグ１３の組み込まれている電気回路図が、階段用警報装置本体１４として図７に示すように設置されている。【００１９】  セット時においては、１００Ｖ電源差込プラグ１３を室内のコンセントに差し込んで置けばよい。またタイマースイッチ１２は、任意に時間設定しておく。これにより、ベルの警報音が隣近所まで響き渡り、犯人が逃げていくことを目視できる効果を有するとともに、自動的に非常状態が解除される効果がある。【００２０】  本装置の主要部である踏み板取り付け用材１、踏み板支え材２、本体ベース３、階段踏み板８、蹴上げ板９は、木製の板材又はその組み合わせ材で構成されている。【００２１】  次に、本考案の作用を説明する。本考案の階段用警報装置全体をセットした状態を図５に示す。蹴上げ板９を足又は手で押すと、その奥にある踏み板支え材２が押されて傾斜し図５に示すように、本体ベース３の上端部に当接してその状態が保持される。すると、踏み板支え材２の上端のカット面２Ａがほぼ水平状態になり、間隔Ｌ以上の隙間が形成される。蹴上げ板９から足又は手を離すと、蹴上げ板９はスプリング付きヒンジ１０によって、矢印で示すように、図５の実線で示す起立状態に復帰する。【００２２】  ここで、不審者が階段踏み板８に足を乗せてその体重がかかると、図５の２点鎖線で示すように、階段踏み板８が踏み板支えスプリング５に抗して下方に変形する。これにより、ベルスイッチ４が押圧されて閉成される。従って、ベル警報音が鳴り響くので、不審者はあわてて退散することになる。この時、タイマースイッチ１２により、所定時間鳴り響いた後、鳴り止むことになる。また、近隣への警報効果も期待される【００２３】  再びセットするときには、階段踏み板８は図５の実線状態に復帰されているので、踏み板取り付け用材１付きの階段踏み板８を、図２の矢印の方に回動して退避させ、ベルスイッチ４をＯＦＦの開成状態にする。その後、図５に実線で示すように、階段踏み板８を再び回動して設置する。【００２４】  万一、セットしていないときに、犯罪に巻き込まれそうな事態が生じたときには、不審者に気づかれずに足先でセットし、自分でベルを鳴らすこともできる。【００２５】  本実施例の階段用警報装置は、踏み板の下方に図１に示すように、踏み板取り付け用材１、本体ベース３、踏み板支え材２を含む警報装置本体を構成したので、警報回路装置を本体ベース３内にセットしてアッセンブリーとして構成でき、階段幅が異なっても同一の階段用警報装置本体１４として纏めることができるので、量産化でき、安価に構成できる利点がある。【００２６】  また図示しないが、本体ベース３はＬ字型ボックス形状になっているので、ブラスチックの薄板で構成しても剛性が得られるので、さらに安価に構成できる。【００２７】  図７は室内階段を斜視図で示したもので、本実施例の階段用警報装置本体１４は、図７の階段の最下段に設置されている。本考案の階段用警報装置本体１４を、階段の中間部または最上段に設置する場合には、図示しないが、本体ベース３を支持する底板を設け、その底板を、下段の通常の階段踏み板８０に���体的に取り付ければよい。また、通常は階段踏み板８０及び踏み板支え材８１（本考案の蹴上げ板９に相当する）との外観形状において同一になっている。従って、図４に示す非セット時においては、通常の階段として機能し、違和感なく自由に乗り降りできるようになっている。
【産業上の利用可能性】
【００２８】  本考案の階段用警報装置は、構造上設備費用は安価に構成される。今後、住宅建築には安心のために標準装備が望まれる。また、既存の住宅にも簡単に取り付けることもできる。
【図面の簡単な説明】
【００２９】
【図１】本考案の階段用警報装置本体を示す斜視図である。
【図２】図１を左側方から見た部分断面図である。
【図３】図２の踏み板支えスプリング部を示す一部拡大図である。
【図４】図１の階段用警報装置全体の非セット時の拡大側面図である。
【図５】図１の階段用警報装置全体のセット時の拡大側面図である。
【図６】本考案の階段用警報装置の一実施例で用いるベルスイッチを作動させる電気回路図である。
【図７】本考案の階段用警報装置本体の一実施例を室内の階段に設置した状態を示す斜視図である。
【符号の説明】
【００３０】１  踏み板取り付け用材
２  踏み板支え材
３  本体ベース
４  ベルスイッチ
５  踏み板支えスプリング
６  ヒンジ
７  つなぎヒンジ
８  階段踏み板
９  蹴上げ板
１０  スプリング付きヒンジ
１１  ベル
１２  タイマースイッチ
１３  １００Ｖ電源差込プラグ
１４  階段用警報装置本体
【図１】
0003121808.tif 000003
【図２】
0003121808.tif 000004
【図３】
0003121808.tif 000005
【図４】
0003121808.tif 000006
【図５】
0003121808.tif 000007
【図６】
0003121808.tif 000008
【図７】
0003121808.tif 000009